(57)【特許請求の範囲】
【請求項１】
第１および第２のアンテナから送信されたダウンリンク送信を受信することと、
基地局が前記第１および第２のアンテナ間の時間オフセットを補償しているか否かの仮定に関する情報を受信することと、
前記ダウンリンク送信に関するチャネル状態情報（ＣＳＩ）フィードバックを生成することと、
前記ＣＳＩフィードバックを前記基地局に送ることと
を備え、
前記ＣＳＩフィードバックは、前記基地局が前記第１および第２のアンテナ間の前記時間オフセットを補償しているか否かの前記仮定に基づいて調整される、ワイヤレス通信の方法。
【請求項２】
前記ＣＳＩフィードバックを前記生成することは、前記基地局が、ユーザ機器固有基準信号（ＵＥ−ＲＳ）の送信時間を変更することによって前記時間オフセットを補償しているという前記仮定に基づく、請求項１に記載の方法。
【請求項３】
前記ＣＳＩフィードバックを前記生成することは、前記基地局が、プリコーダ位相回転を適用することによって前記時間オフセットを補償しているという前記仮定に基づく、請求項１に記載の方法。
【請求項４】
第１および第２のアンテナから送信されたダウンリンク送信を受信するための手段と、
基地局が前記第１および第２のアンテナ間の時間オフセットを補償しているか否かの仮定に関する情報を受信するための手段と、
前記ダウンリンク送信に関するチャネル状態情報（ＣＳＩ）フィードバックを生成するための手段と、
前記ＣＳＩフィードバックを前記基地局に送るための手段と
を備え、
前記ＣＳＩフィードバックは、前記基地局が前記第１および第２のアンテナ間の前記時間オフセットを補償しているか否かの前記仮定に基づいて調整される、ワイヤレス通信のための装置。
【請求項５】
生成するための前記手段は、前記基地局が、ユーザ機器固有基準信号（ＵＥ−ＲＳ）の送信時間を変更することによって前記時間オフセットを補償しているという前記仮定に基づいて前記ＣＳＩフィードバックを生成するための手段を含む、請求項４に記載の装置。
【請求項６】
生成するための前記手段は、前記基地局が、プリコーダ位相回転を適用することによって前記時間オフセットを補償しているという前記仮定に基づいて前記ＣＳＩフィードバックを生成するための手段を含む、請求項４に記載の装置。
【請求項７】
少なくとも１つのプロセッサと、
前記少なくとも１つのプロセッサに結合されたメモリと
を備える、ワイヤレス通信のために構成された装置であって、前記少なくとも１つのプロセッサが、
第１および第２のアンテナから送信されたダウンリンク送信を受信することと、
基地局が前記第１および第２のアンテナ間の時間オフセットを補償しているか否かの仮定に関する情報を受信することと、
前記ダウンリンク送信に関するチャネル状態情報（ＣＳＩ）フィードバックを生成することと、
前記ＣＳＩフィードバックを前記基地局に送ることと
を行うように構成され、
前記ＣＳＩフィードバックは、前記基地局が前記第１および第２のアンテナ間の前記時間オフセットを補償しているか否かの前記仮定に基づいて調整される、ワイヤレス通信のために構成された装置。
【請求項８】
前記少なくとも１つのプロセッサは、前記基地局が、ユーザ機器固有基準信号（ＵＥ−ＲＳ）の送信時間を変更することによって前記時間オフセットを補償しているという前記仮定に基づいて前記ＣＳＩフィードバックを生成するように構成された、請求項７に記載の装置。
【請求項９】
前記少なくとも１つのプロセッサは、前記基地局が、プリコーダ位相回転を適用することによって前記時間オフセットを補償しているという前記仮定に基づいて前記ＣＳＩフィードバックを生成するように構成された、請求項７に記載の装置。
【請求項１０】
請求項１−３のうちの１つの方法の全てのステップを実行することをコンピュータで実行可能なプログラム命令を備える、
コンピュータプログラム。
【発明の詳細な説明】
【技術分野】
【０００１】
相互関連出願
[0001]  本特許出願は、本出願の譲受人に譲渡され、すべての目的のために参照により本明細書に明確に組み込まれる、２０１１年１０月３日に出願された「ANTENNA TIME OFFSET IN MULTIPLE-INPUT-MULTIPLE-OUTPUT AND COORDINATED MULTIPOINT TRANSMISSION」と題する仮出願第６１／５４２，６４４号の優先権を主張する。
【０００２】
[0002]  本開示の態様は、一般にワイヤレス通信システムに関し、より詳細には、多入力多出力（ＭＩＭＯ：multiple-input-multiple-output）送信および多地点協調（ＣｏＭＰ：coordinated multipoint）送信におけるアンテナ時間オフセットに関する。
【背景技術】
【０００３】
[0003]  ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はＵｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）である。ＵＴＲＡＮは、３ｒｄ  Ｇｅｎｅｒａｔｉｏｎ  Ｐａｒｔｎｅｒｓｈｉｐ  Ｐｒｏｊｅｃｔ（３ＧＰＰ）によってサポートされる第３世代（３Ｇ）モバイルフォン技術である、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]  ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]  基地局は、ＵＥにダウンリンク上でデータおよび制御情報を送信し得、および／またはＵＥからアップリンク上でデータおよび制御情報を受信し得る。ダウンリンク上では、基地局からの送信は、隣接基地局からの送信、または他のワイヤレス無線周波数（ＲＦ）送信機からの送信による干渉に遭遇することがある。アップリンク上では、ＵＥからの送信は、隣接基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００６】
[0006]  ＭＩＭＯでは、単一の送信ポイント（たとえば、単一のセル／基地局ＭＩＭＯ）の送信アンテナ間に、ＭＩＭＯパフォーマンスを劣化させ得る時間オフセットが存在し得る。多地点協調（ＣｏＭＰ）送信では、ＵＥへの同時コヒーレントダウンリンク送信に複数の基地局（たとえば、複数の送信ポイント）が参加し得る。コヒーレントジョイントＣｏＭＰは、基地局間の時間同期を必要とし得る。しかしながら、これらの基地局間にも、ＣｏＭＰパフォーマンスを劣化させ得る時間オフセットが存在し得る。したがって、これらの問題に対処するために複数の送信アンテナ間の時間オフセットを報告し、考慮することが必要である。
【発明の概要】
【０００７】
[0007]  一態様では、ワイヤレス通信の方法は、第１および第２のアンテナからそれぞれ送信された第１および第２の信号を受信することと、第１および第２の信号に基づいて第１および第２のアンテナ間の時間オフセットを決定することと、第１および第２のアンテナ間の時間オフセットに関する情報を報告することであって、報告することが、所定のしきい値を上回るか、または下回るとして時間オフセットを報告することを含む、報告することとを含む。
【０００８】
[0008]  別の態様では、ワイヤレス通信の方法は、第１および第２のアンテナから送信されたダウンリンク送信を受信することと、ダウンリンク送信に関するチャネル状態情報（ＣＳＩ：channel state information）フィードバックを生成することと、ＣＳＩフィードバックを基地局に送ることとを含む。ＣＳＩフィードバックは、第１および第２のアンテナ間の時間オフセットが補償されているか否かに基づいて調整される。
【０００９】
[0009]  本開示の別の態様では、ワイヤレス通信のための装置は、第１および第２のアンテナからそれぞれ送信された第１および第２の信号を受信するための手段と、第１および第２の信号に基づいて第１および第２のアンテナ間の時間オフセットを決定するための手段と、第１および第２のアンテナ間の時間オフセットに関する情報を報告するための手段であって、報告することが、所定のしきい値を上回るか、または下回るとして時間オフセットを報告することを含む、報告するための手段とを含む。
【００１０】
[0010]  本開示のまた別の態様では、ワイヤレス通信のための装置は、第１および第２のアンテナから送信されたダウンリンク送信を受信するための手段と、ダウンリンク送信に関するチャネル状態情報（ＣＳＩ）フィードバックを生成するための手段と、ＣＳＩフィードバックを基地局に送るための手段とを含む。ＣＳＩフィードバックは、第１および第２のアンテナ間の時間オフセットが補償されているか否かに基づいて調整される。
【００１１】
[0011]  さらに別の態様では、ワイヤレスネットワークにおけるワイヤレス通信のためのコンピュータプログラム製品は、プログラムコードを記録した非一時的コンピュータ可読媒体を含む。プログラムコードは、第１および第２のアンテナからそれぞれ送信された第１および第２の信号を受信するためのプログラムコードと、第１および第２の信号に基づいて第１および第２のアンテナ間の時間オフセットを決定するためのプログラムコードと、第１および第２のアンテナ間の時間オフセットに関する情報を報告するためのプログラムコードであって、情報が、時間オフセットを所定のしきい値を上回るか、または下回ると見なす情報を含む、報告するためのプログラムコードとを含む。
【００１２】
[0012]  別の態様では、ワイヤレスネットワークにおけるワイヤレス通信のためのコンピュータプログラム製品は、プログラムコードを記録した非一時的コンピュータ可読媒体を含む。プログラムコードは、第１および第２のアンテナから送信されたダウンリンク送信を受信するためのプログラムコードと、ダウンリンク送信に関するチャネル状態情報（ＣＳＩ）フィードバックを生成するためのプログラムコードと、ＣＳＩフィードバックを基地局に送るためのプログラムコードとを含む。ＣＳＩフィードバックは、第１および第２のアンテナ間の時間オフセットが補償されているか否かに基づいて調整される。
【００１３】
[0013]  また別の態様では、ワイヤレス通信のために構成された装置は、少なくとも１つのプロセッサと、少なくとも１つのプロセッサに結合されたメモリとを含む。少なくとも１つのプロセッサは、第１および第２のアンテナからそれぞれ送信された第１および第２の信号を受信することと、第１および第２の信号に基づいて第１および第２のアンテナ間の時間オフセットを決定することと、第１および第２のアンテナ間の時間オフセットに関する情報を報告することであって、情報が、時間オフセットを所定のしきい値を上回るか、または下回ると見なす情報を含む、報告することとを行うように構成される。
【００１４】
[0014]  別の態様では、ワイヤレス通信のために構成された装置は、少なくとも１つのプロセッサと、少なくとも１つのプロセッサに結合されたメモリとを含む。少なくとも１つのプロセッサは、第１および第２のアンテナから送信されたダウンリンク送信を受信することと、ダウンリンク送信に関するチャネル状態情報（ＣＳＩ）フィードバックを生成することと、ＣＳＩフィードバックを基地局に送ることとを行うように構成される。ＣＳＩフィードバックは、第１および第２のアンテナ間の時間オフセットが補償されているか否かに基づいて調整される。
【００１５】
[0015]  別の態様では、ワイヤレス通信のための方法は、複数の送信アンテナ間の時間オフセットに関する情報を受信することであって、情報が、時間オフセットを所定のしきい値を上回るか、または下回ると見なす情報を含む、受信することと、時間オフセットを考慮するように送信を適応させることとを含む。
【００１６】
[0016]  さらに別の態様では、ワイヤレス通信のための装置は、複数の送信アンテナ間の時間オフセットに関する情報を受信するための手段であって、情報が、時間オフセットを所定のしきい値を上回るか、または下回ると見なす情報を含む、受信するための手段と、時間オフセットを考慮するように送信を適応させるための手段とを含む。
【００１７】
[0017]  別の態様では、ワイヤレス通信のためのコンピュータプログラム製品は、プログラムコードを記録した非一時的コンピュータ可読媒体を含む。プログラムコードは、複数の送信アンテナ間の時間オフセットに関する情報を受信するためのプログラムコードであって、情報が、時間オフセットを所定のしきい値を上回るか、または下回ると見なす情報を含む、受信するためのプログラムコードと、時間オフセットを考慮するように送信を適応させるためのプログラムコードとを含む。
【００１８】
[0018]  また別の態様では、ワイヤレス通信のために構成された装置は、少なくとも１つのプロセッサと、少なくとも１つのプロセッサに結合されたメモリとを含む。少なくとも１つのプロセッサは、複数の送信アンテナ間の時間オフセットに関する情報を受信することであって、情報が、時間オフセットを所定のしきい値を上回るか、または下回ると見なす情報を含む、受信することと、時間オフセットを考慮するように送信を適応させることとを行うように構成される。
【図面の簡単な説明】
【００１９】
【図１】[0019]  モバイル通信システムの一例を示すブロック図。
【図２】[0020]  モバイル通信システムにおけるダウンリンクフレーム構造の一例を示すブロック図。
【図３】[0021]  アップリンクＬＴＥ／−Ａ通信における例示的なフレーム構造を示すブロック図。
【図４】[0022]  本開示の一態様による、異種ネットワークにおける時分割多重（ＴＤＭ）区分を示すブロック図。
【図５】[0023]  本開示の一態様に従って構成された基地局／ｅＮＢおよびＵＥの設計を示すブロック図。
【図６】[0024]  本開示の一態様による、ＭＩＭＯ送信を示すブロック図。
【図７】[0025]  本開示の一態様による、多地点協調（ＣｏＭＰ）送信を示すブロック図。
【図８】[0026]  本開示の一態様による、ワイヤレス通信のための方法のフローチャート。
【図９】[0027]  本開示の一態様による、ワイヤレス通信のための別の方法のフローチャート。
【図１０】[0028]  本開示の一態様による、ワイヤレス通信のためのまた別の方法のフローチャート。
【図１１】[0029]  本開示の一態様に従って構成されたＵＥを示すブロック図。
【図１２】[0030]  本開示の一態様に従って構成されたｅＮＢを示すブロック図。
【発明を実施するための形態】
【００２０】
[0031]  添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２１】
[0032]  本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ）（登録商標）およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）（登録商標）、ＩＥＥＥ８０２．１６（ＷｉＭＡＸ）（登録商標）、ＩＥＥＥ８０２．２０、Ｆｌａｓｈ−ＯＦＤＭＡなどの無線技術を実装し得る。ＵＴＲＡ技術およびＥ−ＵＴＲＡ技術はＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる団体からの文書に記載されている。ＣＤＭＡ２０００（登録商標）およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００２２】
[0033]  図１に、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどとも呼ばれることもある。各ｅＮＢ１１０は、特定の地理的エリアに通信カバレージを与え得る。３ＧＰＰでは、「セル」という用語は、この用語が使用される状況に応じて、ｅＮＢのこの特定の地理的カバレージエリアおよび／またはこのカバレージエリアをサービスするｅＮＢサブシステムを指すことがある。
【００２３】
[0034]  ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２４】
[0035]  ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥとすることができる。図１に示す例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００２５】
[0036]  ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作または非同期動作のいずれかのために使用され得る。
【００２６】
[0037]  ネットワークコントローラ１３０は、ｅＮＢのセットに結合し、これらのｅＮＢの協調および制御を行い得る。ネットワークコントローラ１３０は、バックホール１３２を介してｅＮＢ１１０と通信し得る。ｅＮＢ１１０はまた、たとえば、ワイヤレスバックホール１３４またはワイヤラインバックホール１３６を介して直接または間接的に互いに通信し得る。
【００２７】
[0038]  ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレット、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２８】
[0039]  ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。たとえば、Ｋは、１．２５、２．５、５、１０、または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚをカバーし得、１．２５、２．５、５、１０、または２０ＭＨｚの対応するシステム帯域幅に対してそれぞれ１つ、２つ、４つ、８つ、または１６個のサブバンドがあり得る。
【００２９】
[0040]  図２に、ＬＴＥ／−Ａにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３０】
[0041]  ＬＴＥ／−Ａでは、ｅＮＢは、ｅＮＢ中の各セルに関する１次同期信号（ＰＳＳ：primary synchronization signal）と２次同期信号（ＳＳＳ：secondary synchronization signal）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３１】
[0042]  ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図２に示す例でも、ＰＤＣＣＨおよびＰＨＩＣＨは最初の３つのシンボル期間中に含まれている。ＰＨＩＣＨは、ハイブリッド自動再送信（ＨＡＲＱ：hybrid automatic retransmission）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥについてのデータを搬送し得る。
【００３２】
[0043]  各サブフレームの制御セクション中で、すなわち、各サブフレームの第１のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示すように、データ領域を利用するこれらの新しい制御設計、たとえば、リレー物理ダウンリンク制御チャネル（Ｒ−ＰＤＣＣＨ：Relay-Physical Downlink Control Channel）およびリレー物理ＨＡＲＱインジケータチャネル（ＲＰＨＩＣＨ：Relay-Physical HARQ Indicator Channel）は、各サブフレームの後のシンボル期間中に含まれる。Ｒ−ＰＤＣＣＨは、最初に半二重リレー動作のコンテキストにおいて開発された、データ領域を利用する新しいタイプの制御チャネルである。１つサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、最初にデータ領域として指定されたリソース要素（ＲＥ）にマッピングされる。新しい制御チャネルは、周波数分割多重（ＦＤＭ）、時分割多重（ＴＤＭ）、またはＦＤＭとＴＤＭとの組合せの形態であり得る。
【００３３】
[0044]  ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３４】
[0045]  各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の設定可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００３５】
[0046]  ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３６】
[0047]  ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３７】
[0048]  図３は、アップリンクＬｏｎｇＴｅｒｍＥｖｏｌｕｔｉｏｎ（ＬＴＥ／−Ａ）通信における例示的なフレーム構造３００を概念的に示すロック図である。アップリンクのために利用可能なリソースブロック（ＲＢ：resource block）は、データセクションと制御セクションとに区分され得る。制御セクションは、システム帯域幅の２つのエッジにおいて形成され得、設定可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３８】
[0049]  ＵＥには、ｅＮＢに制御情報を送信するために制御セクション中のリソースブロックが割り当てられ得る。ＵＥは、ｅノードＢにデータを送信するためにデータセクション中のリソースブロックも割り当てられ得る。ＵＥは、制御セクション中の割り当てられたリソースブロック３１０ａおよび３１０ｂ上の物理アップリンク制御チャネル（ＰＵＣＣＨ：Physical Uplink Control Channel）中で制御情報を送信し得る。ＵＥは、データセクション中の割り当てられたリソースブロック３２０ａおよび３２０ｂ上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。
【００３９】
[0050]  再び図１を参照すると、ワイヤレスネットワーク１００は、システムの単位面積当たりのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。ピコｅＮＢ１１０ｘおよび中継局１１０ｒは、概して、かなり低い電力レベル（たとえば、１００ｍＷ〜２Ｗ）で送信し、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、干渉管理のリソース協調および協調を実行するためにワイヤレスネットワーク１００の他のｅＮＢ１１０と通信し得る、アクティブでアウェアなｅＮＢとして、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００４０】
[0051]  ワイヤレスネットワーク１００など、異種ネットワークの動作では、各ＵＥは、通常、より良い信号品質をもつｅＮＢ１１０によってサービスされ、他のｅＮＢ１１０から受信した不要な信号は干渉として扱われる。そのような動作原理は、著しく準最適なパフォーマンスをもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワークパフォーマンスの利得が実現される。
【００４１】
[0052]  ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画展開のために、ワイヤレスネットワーク１００など、ピコｅＮＢ配置をもつワイヤレスネットワークは、カバレージエリアまたはセルのエッジ上のＵＥ（「セルエッジ」ＵＥ）への制御チャネル送信のためのより困難なＲＦ環境に役立つことができる、低い信号対干渉状態をもつ大きいエリアを有することが予想され得る。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを暗示する。
【００４２】
[0053]  しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリアがほぼ同じまたは同様であれば、チャネル利得に基づいてアップリンクハンドオフ境界が決定（determine）されることになる。これは、ダウンリンクハンドオーバ境界とアップリンクハンドオーバ境界との間の不一致をもたらし得る。追加のネットワーク適応がなければ、不一致により、ワイヤレスネットワーク１００におけるサーバ選択またはｅＮＢへのＵＥの関連付けは、ダウンリンクハンドオーバ境界とアップリンクハンドオーバ境界とがより厳密に一致するマクロｅＮＢ専用同種ネットワークにおけるよりも困難になるであろう。
【００４３】
[0054]  サーバ選択が主にダウンリンク受信信号強度に基づく場合、ワイヤレスネットワーク１００などの異種ネットワークの混合ｅＮＢ展開の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。さらに、マクロｅＮＢ１１０ａ〜ｃは、それらのＵＥを効率的にサービスするために十分なリソースを有しない可能性がある。したがって、ワイヤレスネットワーク１００は、ピコｅＮＢ１１０ｘのカバレージエリアを拡張することによってマクロｅＮＢ１１０ａ〜ｃとピコｅＮＢ１１０ｘとの間で負荷をアクティブに分散させようと試みる。この概念は範囲拡張と呼ばれる。
【００４４】
[0055]  ワイヤレスネットワーク１００は、サーバ選択が決定される方式を変更することによってこの範囲拡張を達成する。サーバ選択がダウンリンク受信信号強度に基づく代わりに、選択はダウンリンク信号の品質に一層基づく。１つのそのような品質ベースの決定では、サーバ選択は、ＵＥに最小の経路損失を与えるｅＮＢを決定することに基づき得る。さらに、ワイヤレスネットワーク１００は、マクロｅＮＢ１１０ａ〜ｃとピコｅＮＢ１１０ｘとの間で均等にリソースの固定の区分を行う。しかしながら、このアクティブな負荷分散を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００４５】
[0056]  ワイヤレスネットワーク１００など、範囲拡張を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢとの制御チャネルおよびデータチャネル干渉協調に関与する。干渉を管理するために、干渉協調のための多くの異なる技法が採用され得る。たとえば、同一チャネル展開中のセルからの干渉を低減するために、セル間干渉協調（ＩＣＩＣ：inter-cell interference coordination）が使用され得る。１つのＩＣＩＣ機構は適応リソース区分である。適応リソース区分は、いくつかのｅＮＢにサブフレームを割り当てる。第１のｅＮＢに割り当てられたサブフレーム中では隣接ｅＮＢが送信しない。したがって、第１のｅＮＢによってサービスされるＵＥが受ける干渉が低減される。サブフレーム割当ては、アップリンクとダウンリンクの両方のチャネル上で実行され得る。
【００４６】
[0057]  たとえば、サブフレームは、保護サブフレーム（Ｕサブフレーム）と、禁止サブフレーム（Ｎサブフレーム）と、共通サブフレーム（Ｃサブフレーム）とのサブフレームの３つのクラスの間で割り振られ得る。保護サブフレームは、第１のｅＮＢによって排他的に使用するために第１のｅＮＢに割り当てられる。保護サブフレームは、隣接ｅＮＢからの干渉がないことに基づき「クリーン」サブフレームと呼ばれることもある。禁止サブフレームは隣接ｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによってデータ送信のために使用され得る。共通サブフレームは、他のｅＮＢからの干渉の可能性があるため「非クリーン」サブフレームと呼ばれることもある。
【００４７】
[0058]  期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅＮＢに静的に割り当てられ得る。他のサブフレームが動的に割り振られ得る。
【００４８】
[0059]  適応リソース区分情報（ＡＲＰＩ：adaptive resource partitioning information）は、非静的に割り当てられたサブフレームが動的に割り振られることを可能にする。保護、禁止、共通の任意のサブフレームが動的に割り振られ得る（それぞれ、ＡＵ、ＡＮ、ＡＣサブフレーム）。動的割当ては、たとえば、１００ミリ秒ごとにまたはそれ以下などで、急速に変化し得る。
【００４９】
[0060]  異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサｅＮＢ）の電力スペクトル密度（ＰＳＤ：power spectral density）は、ピコｅＮＢおよびフェムトｅＮＢ（ビクティムｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサ（aggressor）ｅＮＢ上の禁止サブフレームに対応するように、ビクティム（victim）ｅＮＢに対して保護サブフレームがスケジュールされ得る。
【００５０】
[0061]  図４は、本開示の一態様による、異種ネットワークにおける時分割多重（ＴＤＭ）区分を示すブロック図である。ブロックの第１の行はフェムトｅＮＢのためのサブフレーム割当てを示し、ブロックの第２の行はマクロｅＮＢのためのサブフレーム割当てを示している。ｅＮＢの各々が静的保護サブフレームを有する間、他方のｅＮＢは静的禁止サブフレームを有する。たとえば、フェムトｅＮＢは、サブフレーム０中の禁止サブフレーム（Ｎサブフレーム）に対応して、サブフレーム０中の保護サブフレーム（Ｕサブフレーム）を有する。同様に、マクロｅＮＢは、サブフレーム７中の禁止サブフレーム（Ｎサブフレーム）に対応して、サブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）中に、フェムトｅＮＢとマクロｅＮＢの両方がデータを送信し得る。
【００５１】
[0062]  保護サブフレーム（Ｕ／ＡＵサブフレームなど）では、アグレッサｅＮＢが送信を禁止されるので、干渉が低減され、チャネル品質が高い。禁止サブフレーム（Ｎ／ＡＮサブフレームなど）では、ビクティムｅＮＢが干渉レベルの低いデータを送信できるように、データが送信されない。共通サブフレーム（Ｃ／ＡＣサブフレームなど）では、チャネル品質は、データを送信する隣接ｅＮＢの数に依存する。たとえば、隣接ｅＮＢが共通サブフレーム上でデータを送信する場合、共通サブフレームのチャネル品質は保護サブフレームよりも低くなり得る。共通サブフレーム上のチャネル品質はまた、アグレッサｅＮＢによって強く影響を及ぼされる拡張境界領域（ＥＢＡ：extended boundary area）ＵＥではより低くなり得る。ＥＢＡ  ＵＥは、第１のｅＮＢに属し得るが、第２のｅＮＢのカバレージエリア中にも位置し得る。たとえば、フェムトｅＮＢカバレージの範囲限界の近くにあるマクロｅＮＢと通信しているＵＥは、ＥＢＡ  ＵＥである。
【００５２】
[0063]  ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースがネゴシエートされ、割り振られる。本方式の目的は、ネットワークの総ユーティリティを最大にする、時間または周波数リソースのすべてにわたる、送信ｅＮＢおよびＵＥのすべてのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報のすべてにアクセスでき、たとえばネットワークコントローラ１３０（図１）などの送信エンティティのすべてを制御する中央エンティティによって計算され得る。この中央エンティティは、常に実際的であるとは限らず、さらには望ましいとは限らないことがある。したがって、代替態様では、ノードのあるセットからのチャネル情報に基づいてリソース使用状況決定を行う分散アルゴリズムが使用され得る。したがって、低速適応干渉アルゴリズムは、中央エンティティを使用して、またはネットワーク中のノード／エンティティの様々なセットにわたってアルゴリズムを分散させることによって、展開され得る。
【００５３】
[0064]  ワイヤレスネットワーク１００など、異種ネットワークの展開では、ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）よりマクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理を使用すると、ｅＮＢ１１０ｃとフェムトｅＮＢ１１０ｙとは、リソースをネゴシエートするためにバックホール１３４を介して通信し得る。ネゴシエーションにおいて、フェムトｅＮＢ１１０ｙは、それのチャネルリソースの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙが受けないようにする。
【００５４】
[0065]  そのような支配的干渉シナリオでは、ＵＥと複数のｅＮＢとの間の距離が異なるために、ＵＥにおいて観測される信号電力の相異に加えて、同期システム中でもＵＥによってまたダウンリンク信号のタイミング遅延が観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信したダウンリンク信号の伝搬遅延は、約１６．６７μｓ（５ｋｍ÷３×１０8（すなわち、光速、「ｃ」））遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）エラーのレベルに近づく可能性がある。
【００５５】
[0066]  さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が決定され、干渉と区別され得、したがって干渉を消去することが可能になる。
【００５６】
[0067]  図５に、図１の基地局／ｅＮＢのうちの１つであり得る基地局／ｅＮＢ１１０および図１のＵＥのうちの１つであり得るＵＥ１２０の設計のブロック図を示す。制限付き関連付けシナリオの場合、ｅＮＢ１１０は図１のマクロｅＮＢ１１０ｃであり得、ＵＥ１２０はＵＥ１２０ｙであり得る。ｅＮＢ１１０はまた、何らかの他のタイプの基地局であり得る。ｅＮＢ１１０は、アンテナ５３４ａ〜５３４ｔを装備し得、ＵＥ１２０は、アンテナ５５２ａ〜５５２ｒを装備し得る。
【００５７】
[0068]  ｅＮＢ１１０において、送信プロセッサ５２０は、データソース５１２からデータを受信し、コントローラ／プロセッサ５４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ５２０は、データと制御情報とを処理（たとえば、符号化およびシンボルマッピング）して、それぞれデータシンボルと制御シンボルとを取得し得る。送信プロセッサ５２０はまた、たとえば、ＰＳＳ、ＳＳＳ、およびセル固有基準信号のための基準シンボルを生成し得る。送信（ＴＸ）多入力多出力（ＭＩＭＯ）プロセッサ５３０は、適用可能な場合、データシンボル、制御シンボル、および／または基準シンボルに対して空間処理（たとえば、プリコーディング）を実行し得、出力シンボルストリームを変調器（ＭＯＤ）５３２ａ〜５３２ｔに与え得る。各変調器５３２は、（たとえば、ＯＦＤＭなどの）それぞれの出力シンボルストリームを処理して、出力サンプルストリームを取得し得る。各変調器５３２はさらに、出力サンプルストリームを処理（たとえば、アナログへの変換、増幅、フィルタ処理、およびアップコンバート）して、ダウンリンク信号を取得し得る。変調器５３２ａ〜５３２ｔのダウンリンク信号は、それぞれアンテナ５３４ａ〜５３４ｔを介して送信され得る。
【００５８】
[0069]  ＵＥ１２０において、アンテナ５５２ａ〜５５２ｒは、ｅＮＢ１１０からダウンリンク信号を受信し得、受信信号をそれぞれ復調器（ＤＥＭＯＤ）５５４ａ〜５５４ｒに与え得る。各復調器５５４は、それぞれの受信信号を調整（たとえば、フィルタ処理、増幅、ダウンコンバート、およびデジタル化）して、入力サンプルを取得し得る。各復調器５５４は、（たとえば、ＯＦＤＭなどのために）入力サンプルをさらに処理して、受信シンボルを取得し得る。ＭＩＭＯ検出器５５６は、すべての復調器５５４ａ〜５５４ｒから受信シンボルを取得し、適用可能な場合は受信シンボルに対してＭＩＭＯ検出を実行し、検出シンボルを与え得る。受信プロセッサ５５８は、検出シンボルを処理（たとえば、復調、デインターリーブ、および復号）し、ＵＥ１２０の復号されたデータをデータシンク５６０に与え、復号された制御情報をコントローラ／プロセッサ５８０に与え得る。
【００５９】
[0070]  アップリンク上では、ＵＥ１２０において、送信プロセッサ５６４は、データソース５６２から（たとえば、ＰＵＳＣＨのための）データを受信し、処理し得、コントローラ／プロセッサ５８０から（たとえば、ＰＵＣＣＨのための）制御情報を受信し、処理し得る。送信プロセッサ５６４はまた、基準信号のための基準シンボルを生成し得る。送信プロセッサ５６４からのシンボルは、適用可能な場合はＴＸ  ＭＩＭＯプロセッサ５６６によってプリコードされ、さらに（たとえば、ＳＣ−ＦＤＭなどのために）変調器５５４ａ〜５５４ｒによって処理され、ｅＮＢ１１０に送信され得る。ｅＮＢ１１０において、ＵＥ１２０からのアップリンク信号は、アンテナ５３４によって受信され、復調器５３２によって処理され、適用可能な場合はＭＩＭＯ検出器５３６によって検出され、さらに受信プロセッサ５３８によって処理されて、ＵＥ１２０によって送られた復号されたデータおよび制御情報が取得され得る。プロセッサ５３８は、復号されたデータをデータシンク５３９に与え、復号された制御情報をコントローラ／プロセッサ５４０に与え得る。
【００６０】
[0071]  コントローラ／プロセッサ５４０および５８０は、それぞれｅＮＢ１１０における動作およびＵＥ１２０における動作を指示し得る。ｅＮＢ１１０におけるコントローラ／プロセッサ５４０および／または他のプロセッサおよびモジュールは、本明細書で説明する技法のための様々なプロセスを実行するか、またはその実行を指示し得る。ＵＥ１２０におけるコントローラ／プロセッサ５８０および／または他のプロセッサとモジュールは、図８〜図１０に示す機能ブロック、および／または本明細書で説明する技法のための他のプロセスを実行するか、またはその実行を指示し得る。メモリ５４２および５８２は、それぞれｅＮＢ１１０およびＵＥ１２０のためのデータおよびプログラムコードを記憶し得る。スケジューラ５４４は、ダウンリンク上および／またはアップリンク上でのデータ送信のためにＵＥをスケジュールし得る。
【００６１】
[0072]  図６を参照すると、ｅＮＢ６０２とＵＥ６０４とを含むワイヤレスシステム６００が示されている。ｅＮＢ６０２は図１の基地局／ｅＮＢのうちの１つであり得、ＵＥ６０４は図１のＵＥのうちの１つであり得る。ｅＮＢ６０２は、ＭＩＭＯ送信においてＵＥ６０４とワイヤレス通信するための複数の送信アンテナ６０６を含み得る。ケーブル長さが異なることなど、様々なファクタにより、ｅＮＢ６０２（たとえば、単一の送信ポイント）の異なる送信アンテナ６０６間に時間オフセットが存在し得ることがわかっている。送信アンテナが同期しているという（たとえば、コードブック設計に関する）推定があり得るので、送信アンテナ６０６間の時間オフセットはＭＩＭＯパフォーマンスを劣化させ得る。したがって、この問題に対処するための１つの手法は、ｅＮＢ６０２において時間較正を周期的に実行することであり得、これはコストがかかることがある。
【００６２】
[0073]  図７を参照すると、ｅＮＢ７０２、７０４とＵＥ７０６とを含むワイヤレスシステム７００が示されている。ｅＮＢ７０２、７０４は互いに地理的に分離され得る。Ｘ２インターフェース７０８はｅＮＢ７０２、７０４を互いに接続し得る。ｅＮＢ７０２、７０４は、ＵＥ７０６とのＣｏＭＰ送信／受信に関与し得る。ｅＮＢ７０２、７０４のうちの１つはＵＥ７０６のためのサービングｅＮＢと呼ばれることがある。ＣｏＭＰデータ送信では、信号がＵＥにおいて組み合わせられ得るように、ｅＮＢ７０２、７０４は、同じ時間周波数リソース上でＵＥ７０６にデータを同時に送信するように協調され得る。また、ＵＥ７０６への同時コヒーレントダウンリンク送信に参加するｅＮＢ７０２とｅＮＢ７０４との間（たとえば、複数の送信ポイント間）に時間オフセットが存在し得ることがわかっている。コヒーレントジョイントＣｏＭＰ送信は位相間情報を必要とし得るが、時間オフセットは周波数領域中に位相ランプ（phase ramp）をもたらし得る。したがって、高サブバンドグラニュラリティ位相フィードバックの必要性を緩和するために、正確な時間同期が必要とされ得る。
【００６３】
[0074]  Ｘ２インターフェース７０８はＸ２プロトコルを用いて識別されるが、バックホールシグナリングおよび通信のために使用される任意の他のタイプの知られているインターフェースが使用され得ることに留意されたい。本開示の様々な態様は、単一のタイプのバックホールインターフェースの実装に限定されない。
【００６４】
[0075]  したがって、以下で詳細に説明するように、（図６に示した）ＭＩＭＯ送信または（図７に示した）コヒーレントジョイントＣｏＭＰ送信において複数のアンテナ間の時間オフセットを測定し、報告することをＵＥが助ける代替ソリューションが提案される。
【００６５】
[0076]  図８を参照すると、本開示の一態様による、ワイヤレス通信のための方法８００のフローチャートが示されている。方法８００は、図６に示したように単一の送信ポイント（たとえば、単一のセル／基地局）とのＭＩＭＯ送信においてワイヤレス通信するか、または図７に示したように複数の送信ポイント（たとえば、複数のセル／基地局）とのＣｏＭＰ送信においてワイヤレス通信するＵＥによって実行され得る。ＵＥは、ＭＩＭＯ送信またはＣｏＭＰ送信における複数のアンテナ間の時間オフセット報告を与えるためにシグナリングされ得る。方法８００は、ブロック８０２において開始し、第１および第２のアンテナからそれぞれ送信された第１および第２の信号を受信する。一態様では、第１および第２のアンテナは、単一の送信ポイントに関連付けられ、単一の送信ポイントに属し得る。単一の送信ポイントは、ＵＥへのＭＩＭＯ送信におけるｅＮＢであり得る。別の態様では、第１のアンテナは第１のｅＮＢに関連付けられ得、第２のアンテナは第２のｅＮＢに関連付けられ得る。第１および第２のｅＮＢは、ＵＥへのＣｏＭＰ送信に参加していることがある。
【００６６】
[0077]  方法８００は、ブロック８０４において続き、第１および第２のアンテナ間の時間オフセットを決定する。決定は、第１および第２の信号に基づき得る。第１および第２の信号は、チャネル状態情報、チャネル推定などのためにＵＥが使用し得る様々な基準信号を含み得る。一態様では、ＵＥは、（セル固有基準信号とも呼ばれる）共通基準信号（ＣＲＳ：common reference signal）に基づいて時間オフセットを測定し得る。別の態様では、ＵＥは、チャネル状態情報基準信号（ＣＳＩ−ＲＳ：channel state information reference signal）に基づいて時間オフセットを測定し得る。また別の態様では、ＵＥは、ＵＥ固有基準信号（ＵＥ−ＲＳ：UE-specific reference signal）に基づいて時間オフセットを測定し得る。別の態様では、この目的のために新しい基準信号が定義され得る。さらに別の態様では、ＵＥは、時間オフセットを決定するためにデータ支援技法を使用し得る。
【００６７】
[0078]  方法８００は、ブロック８０６を続け、時間オフセットを所定のしきい値を上回るか、または下回ると見なす情報を含む、時間オフセットに関する情報を報告する。さらに、時間オフセットは、量子化時間オフセット値として報告され得る。代替的に、時間オフセットは、時間オフセットが所定のしきい値を上回る／下回る場合、および／または時間オフセットが所定の範囲の外側／内側にある場合に設定される／設定されない１ビットフラグによって報告され得る。所定のしきい値または範囲は、ＵＥにシグナリングされ得るか、またはＬＴＥ規格の一部として指定され得る。ＵＥは、様々な方法で時間オフセットを報告し得る。一態様では、時間オフセットは、周期または非周期のＣＳＩフィードバック報告（periodic or aperiodic CSI feedback report）の一部として送られ得る。たとえば、アンテナ時間オフセットは既存のＣＳＩ報告構造に組み込まれ得る。別の態様では、時間オフセットは、基準信号受信電力（ＲＳＲＰ：reference signal received power）報告の一部として送られ得る。また別の態様では、時間オフセットは、既存のフィードバック報告とは異なる別個の報告として送られ得る。
【００６８】
[0079]  図９を参照すると、本開示の一態様による、ワイヤレス通信のための方法９００のフローチャートが示されている。方法９００は、図６に示したように単一の送信ポイント（たとえば、単一のセル／基地局）とのＭＩＭＯ送信においてワイヤレス通信するか、または図７に示したように複数の送信ポイント（たとえば、複数のセル／基地局）とのＣｏＭＰ送信においてワイヤレス通信するＵＥによって実行され得る。方法９００は、ブロック９０２において開始し、第１および第２のアンテナから送信されたダウンリンク送信を受信する。一態様では、第１および第２のアンテナは、単一の送信ポイントに関連付けられ、単一の送信ポイントに属し得る。単一の送信ポイントは、ＵＥへのＭＩＭＯ送信におけるｅＮＢであり得る。別の態様では、第１のアンテナは第１のｅＮＢに関連付けられ得、第２のアンテナは第２のｅＮＢに関連付けられ得る。第１および第２のｅＮＢは、ＵＥへのＣｏＭＰ送信に参加していることがある。
【００６９】
[0080]  方法９００は、ブロック９０４において続き、ダウンリンク送信に関するチャネル状態情報（ＣＳＩ）フィードバックを生成する。ＣＳＩフィードバックは、（１つまたは複数の）ｅＮＢがアンテナ時間オフセットを補償することになるとＵＥが仮定するかどうかに基づいて調整され得る。ＵＥは、様々な方法でこの情報をシグナリングされ得る。一態様では、周期的ＣＳＩ報告の場合、時間オフセットが補償されているとＵＥが仮定すべきであるか否かは、周期的ＣＳＩ報告構成自体とともにシグナリングされ得る。別の態様では、非周期ＣＳＩ報告の場合、時間オフセットが補償されているとＵＥが仮定すべきであるか否かは、非周期ＣＳＩ報告を要求／トリガするために使用される許可中に含まれ得る。さらに別の態様では、仮定は、上位レイヤシグナリングによって半静的に（semi-statically）構成されるなど、他の方法でシグナリングされ得る。
【００７０】
[0081]  方法９００は、ブロック９０６において続き、ＣＳＩフィードバックを基地局に送る。ＵＥは、ＵＥへのそれのダウンリンク送信において報告された時間オフセットをｅＮＢが補償することになるという仮定の下で、ｅＮＢに調整されたＣＳＩフィードバックを送り得る。
【００７１】
[0082]  図１０を参照すると、本開示の一態様による、ワイヤレス通信のための方法１０００のフローチャートが示されている。方法１０００は、図６に示したようにＵＥとのＭＩＭＯ送信においてワイヤレス通信するか、または図７に示したようにＵＥとのＣｏＭＰ送信においてワイヤレス通信するｅＮＢによって実行され得る。方法１０００は、ブロック１００２において開始し、複数のアンテナ間の時間オフセットに関する情報を受信する。複数のアンテナは、単一の送信ポイントに関連付けられるか、または地理的に分離されている複数の送信ポイントに関連付けられ得る。上記のように、ＵＥは、様々な技法で時間オフセット報告を送り得、ｅＮＢは、時間オフセットを所定のしきい値を上回るか、または下回ると見なす情報を受信し得る。一態様では、ｅＮＢは、さらに、量子化時間オフセット値として時間オフセットを受信し得る。別の態様では、ｅＮＢは、時間オフセットが所定のしきい値を上回る／下回ること、および／または所定の範囲の外側／内側にあることを示す（フィードバック報告中に含まれる）１ビットフラグがセットされている／セットされていないことを検出し得る。
【００７２】
[0083]  方法１０００は、ブロック１００４において続き、複数の送信アンテナ間の時間オフセットを考慮するように送信を適応させる。ｅＮＢは、時間オフセットを補償するようにそれの送信を適応させ得る。一態様では、ｅＮＢは、それの送信にプリコーダ位相回転（precoder phase rotation）を適用し得る。時間オフセットは、周波数領域中に位相ランプ（phase ramp）をもたらし得ることに留意されたい。したがって、送信機においてプリコーダ位相回転を適用することは、この影響を少なくとも部分的に補償することができる。また、これは、バンドルＲＢにわたって同じプリコーダが使用されるリソースブロック（ＲＢ：resource block）バンドリングを含む送信に影響を及ぼし得ることに留意されたい。別の態様では、ｅＮＢは、復調のためにＵＥ−ＲＳを使用するＵＥについてＵＥごとにそれのタイミングをオフセットし得る。その点において、この調整はＵＥに透過的である。
【００７３】
[0084]  別の態様では、ｅＮＢは、複数のＵＥによって報告されたアンテナ時間オフセットに従って、特定の送信ポイントによって送信されるすべての信号のそれのタイミングを調整し得る。たとえば、ｅＮＢのカバレージエリア内のすべてのＵＥは、実質的に同様の時間オフセットを報告し得、ｅＮＢは、この点から見てすべての信号のそれのタイミングを調整し得る。また別の態様では、ｅＮＢは、時間オフセットを考慮するために、ＵＥごとに好適な送信方式を選択し得る。ｅＮＢは、コヒーレントジョイントＣｏＭＰ送信を有効／無効にするために、報告された１ビットフラグを使用し得る。たとえば、時間オフセットがしきい値を超えていたこと（または時間オフセットが範囲の外側にあったこと）を示すように、報告された１ビットフラグが設定されたシナリオでは、ｅＮＢは、ＣｏＭＰ送信を無効にすることを決定し得る。
【００７４】
[0085]  さらに別の態様では、様々なＣｏＭＰセット構成は、報告された時間オフセットに基づいて定義され得る。ＣｏＭＰセットは、ＵＥへのＣｏＭＰ送信のための候補であり得るｅＮＢ（たとえば、セル／送信ポイント）のセットを含み得る。ＣｏＭＰセットは、ＣｏＭＰ測定セット、ＣｏＭＰ送信セット、ＣｏＭＰ協働セットなどを含み得る。ＣｏＭＰ測定セットは、場合によってはＣｏＭＰ送信に参加するために、ＵＥによって測定され得るすべての送信ポイントを含み得る。ＣｏＭＰセット構成中に含まれるべき送信ポイントは、複数の送信ポイント間の報告された時間オフセットに基づいて選択され得る。複数のｅＮＢの時間オフセットは、ＵＥのサービングｅＮＢに対して報告され得、または任意の２つのｅＮＢ間として報告され得、または量子化時間オフセット値もしくは上記で説明した他の技法としてｅＮＢごとに報告され得る。このようにして、ＣｏＭＰセット構成は、報告された時間オフセットを考慮するように適応され得る。
【００７５】
[0086]  図１１を参照すると、本開示の一態様に従って構成されたＵＥ１１００のブロック図が示されている。ＵＥ１１００は、それぞれ図６および図７のＵＥ６０４、７０６において実装され得る。ＵＥ１１００は、それの機能的態様のすべてを実行、管理、および制御するコントローラ／プロセッサ１１０２を含む。コントローラ／プロセッサ１１０２は、受信機（ＲＸ）モジュール１１０４と送信（ＴＸ）モジュール１１０６とを実行する。受信機モジュール１１０４は、関連するｅＮＢからＰＤＣＣＨおよびＰＤＳＣＨなどのメッセージおよび送信を受信する。受信機モジュール１１０４は、複数の送信アンテナから信号を受信するための手段を与える。ＵＥ１１００は、同じくコントローラ／プロセッサ１１０２によって実行される時間オフセット決定モジュール（time offset determination module）１１０８をさらに含む。時間オフセット決定モジュール１１０８は、受信した信号に基づいて複数の送信アンテナ間の時間オフセットを決定するための手段を与える。たとえば、時間オフセット決定モジュール１１０８は、時間オフセットを決定するために受信した信号中の、ＣＲＳ、ＵＥ−ＲＳ、ＣＳＩ−ＲＳなどの様々な基準信号を測定し得る。
【００７６】
[0087]  コントローラ／プロセッサ１１０２はまた、時間オフセット報告モジュール１１１０を実行する。時間オフセット報告モジュール１１１０は、複数の送信アンテナ間の時間オフセットに関する情報を報告するための手段を与える。時間オフセットは、量子化時間オフセット値として報告され得、または時間オフセットがしきい値を上回る／下回ることを示すための１ビットフラグとして報告され得る。この情報は、周期または非周期チャネル状態情報（ＣＳＩ）フィードバックの一部として、または基準信号受信電力（ＲＳＲＰ）報告の一部として、または既存のフィードバック報告とは別個のものである報告の一部として送信モジュール１１０６を介してＰＵＣＣＨおよびＰＵＳＣＨ上で報告され得る。本開示のいくつかの態様では、時間オフセット決定モジュール１１０８によって行われた決定に基づいて、コントローラ／プロセッサ１１０２は、ｅＮＢが報告された時間オフセットを補正するかまたは補償することになるという仮定に基づいて調整され得るＣＳＩフィードバックを生成するための手段を与えるＣＳＩフィードバック調整モジュール１１１２を実行する。ＵＥ１１００は、周期ＣＳＩ報告構成自体の中か、または非周期ＣＳＩ報告を要求するために使用される許可中に含まれるか、または上位レイヤによって半静的に構成されるこの仮定をシグナリングされ得る。
【００７７】
[0088]  図１２を参照すると、本開示の一態様に従って構成されたｅＮＢ１２００のブロック図が示されている。ｅＮＢ１２００は、それぞれ図６および図７のｅＮＢ６０２、７０２、７０４のうちの１つであり得る。ｅＮＢ１２００は、それの機能的態様のすべてを実行、管理、および制御するコントローラ／プロセッサ１２０２を含む。コントローラ／プロセッサ１２０２は、送信（ＴＸ）モジュール１２０４と受信機（ＲＸ）モジュール１２０６とを実行する。ｅＮＢ１２００は、複数の送信アンテナ間の時間オフセットを報告することを求める要求をＵＥにシグナリングするための手段を与える時間オフセット要求モジュール１２０８をさらに含む。複数のアンテナは、単一の送信ポイントか、または地理的に分離されている複数の送信ポイントに関連付けられ得る。この要求は、ダウンリンク送信モジュール１２０４によって送信され、コントローラ／プロセッサ１２０２によって実行される。単一の送信ポイントの場合、ｅＮＢ１２００は、ＵＥが複数のアンテナのうちのどれのタイミングオフセットを報告すべきであるかをシグナリングし得る。複数の送信ポイントの場合、ｅＮＢ１２００は、ＵＥが複数の送信ポイントまたはセルのうちのどれのタイミングオフセットを報告すべきであるかをシグナリングし得る。このようにして、ｅＮＢ１２００は、複数のアンテナ間の時間オフセットに関する情報を受信するための手段を与える受信機モジュール１２０６を介して１つまたは複数のＵＥから時間オフセット報告を受信し得る。
【００７８】
[0089]  さらに、コントローラ／プロセッサ１２０２は、報告された時間オフセットを考慮するように送信を適応させるための手段を与える時間オフセット適応モジュール１２１０を実行する。時間オフセット適応モジュール１２１０は、時間オフセットを少なくとも部分的に補償するために、送信モジュール１２０４においてプリコーダ位相回転を適用し得る。時間オフセット適応モジュール１２１０は、復調のためにこれらの基準信号を使用するＵＥのための、ＵＥ−ＲＳなどの基準信号に対してそれのタイミングをオフセットし得る。時間オフセット適応モジュール１２１０は、ＵＥへのＣｏＭＰ送信（コヒーレントジョイント送信）を有効／無効にするなど、時間オフセットを考慮するために好適な送信方式を選択し得る。時間オフセット適応モジュール１２１０は、ＣｏＭＰセット決定モジュール１２１２を実行することによって、アンテナタイミングオフセット報告に基づいてＣｏＭＰセットを構成し得る。ＣｏＭＰセット決定モジュール１２１２は、ＵＥへのＣｏＭＰ送信に場合によっては参加するために含まれるべきセルまたは送信ポイントのＣｏＭＰセットを定義するための手段を与える。たとえば、サービングｅＮＢは、ＵＥへのコヒーレントダウンリンク送信に参加するために、それの送信アンテナに対して最も小さい時間オフセットを有する隣接ｅＮＢを選択し得る。
【００７９】
[0090]  情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８０】
[0091]  図８〜図１２の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【００８１】
[0092]  さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈すべきではない。
【００８２】
[0093]  本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８３】
[0094]  本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末内に個別構成要素として常駐することもできる。
【００８４】
[0095]  １つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、そのような非一時的コンピュータ可読媒体は、ＲＡＭ、ＲＯＭ、ＥＥＰＲＯＭ（登録商標）、ＣＤ−ＲＯＭ、あるいは他の光ディスクストレージ、磁気ディスクストレージまたは他の磁気ストレージデバイス、あるいは命令またはデータ構造の形態の所望のプログラムコード手段を記憶するために使用され得、汎用もしくは専用コンピュータまたは汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【００８５】
[0096]  本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
[Ｃ１]
第１および第２のアンテナからそれぞれ送信された第１および第２の信号を受信することと、
前記第１および第２の信号に基づいて前記第１および第２のアンテナ間の時間オフセットを決定することと、
前記第１および第２のアンテナ間の前記時間オフセットに関する情報を報告することであって、前記報告することが、所定のしきい値を上回るか、または下回るとして前記時間オフセットを報告することを含む、報告することと
を備える、ワイヤレス通信の方法。
[Ｃ２]
前記第１および第２のアンテナが単一の送信ポイントに地理的にコロケートされた、Ｃ１に記載の方法。
[Ｃ３]
複数のアンテナのうちのいずれに前記時間オフセットを報告すべきかに関する情報を受信することをさらに含み、前記複数のアンテナが基地局に関連付けられている、Ｃ２に記載の方法。
[Ｃ４]
前記第１および第２のアンテナが、地理的に分離され、異なる送信ポイントに関連付けられている、Ｃ１に記載の方法。
[Ｃ５]
複数の送信ポイントのうちのいずれに前記時間オフセットを報告すべきかに関する情報を受信することをさらに含み、前記複数の送信ポイントが複数の基地局に関連付けられている、Ｃ４に記載の方法。
[Ｃ６]
前記報告することが、量子化時間オフセット値として前記時間オフセットを報告することを含む、Ｃ１に記載の方法。
[Ｃ７]
前記報告することが、所定の範囲内にあるか、またはその外側にあるとして前記時間オフセットを報告することを含む、Ｃ１に記載の方法。
[Ｃ８]
前記所定のしきい値は、ｅＮＢがＣｏＭＰ送信を無効にするようにあらかじめ決定されている、Ｃ１に記載の方法。
[Ｃ９]
前記報告することは、前記時間オフセットが前記所定のしきい値を上回る場合にビットフラグをセットすることをさらに含む、Ｃ１に記載の方法。
[Ｃ１０]
前記報告することは、周期または非周期のチャネル状態情報（ＣＳＩ）フィードバック報告方式の一部として前記時間オフセットを報告することを含む、Ｃ１に記載の方法。
[Ｃ１１]
前記報告することが、基準信号受信電力（ＲＳＲＰ）報告の一部として前記時間オフセットを報告することを含む、Ｃ１に記載の方法。
[Ｃ１２]
前記報告することが、他のフィードバック報告とは別個の報告として前記時間オフセットを報告することを含む、Ｃ１に記載の方法。
[Ｃ１３]
前記時間オフセットを前記決定することが、共通基準信号（ＣＲＳ）と、チャネル状態情報基準信号（ＣＳＩ−ＲＳ）と、ユーザ機器固有基準信号（ＵＥ−ＲＳ）とのうちの１つに基づいて前記時間オフセットを決定することを含む、Ｃ１に記載の方法。
[Ｃ１４]
第１および第２のアンテナから送信されたダウンリンク送信を受信することと、
前記ダウンリンク送信に関するチャネル状態情報（ＣＳＩ）フィードバックを生成することと、
前記ＣＳＩフィードバックを基地局に送ることと
を備え、
前記ＣＳＩフィードバックは、前記第１および第２のアンテナ間の時間オフセットが補償されているか否かに基づいて調整される、ワイヤレス通信の方法。
[Ｃ１５]
前記基地局が前記第１および第２のアンテナ間の前記時間オフセットを補償しているか否かの仮定に関する情報を受信することをさらに含む、Ｃ１４に記載の方法。
[Ｃ１６]
前記ＣＳＩフィードバックを前記生成することは、前記基地局が、ユーザ機器固有基準信号（ＵＥ−ＲＳ）の送信時間を変更することによって前記時間オフセットを補償しているという前記仮定に基づく、Ｃ１５に記載の方法。
[Ｃ１７]
前記ＣＳＩフィードバックを前記生成することは、前記基地局が、プリコーダ位相回転を適用することによって前記時間オフセットを補償しているという前記仮定に基づく、Ｃ１５に記載の方法。
[Ｃ１８]
第１および第２のアンテナからそれぞれ送信された第１および第２の信号を受信するための手段と、
前記第１および第２の信号に基づいて前記第１および第２のアンテナ間の時間オフセットを決定するための手段と、
前記第１および第２のアンテナ間の前記時間オフセットに関する情報を報告するための手段であって、前記報告することが、所定のしきい値を上回るか、または下回るとして前記時間オフセットを報告することを含む、報告するための手段と
を備える、ワイヤレス通信のための装置。
[Ｃ１９]
前記第１および第２のアンテナが単一の送信ポイントに地理的にコロケートされた、Ｃ１８に記載の装置。
[Ｃ２０]
前記第１および第２のアンテナが、地理的に分離され、異なる送信ポイントに関連付けられた、Ｃ１９に記載の装置。
[Ｃ２１]
前記報告することが、
量子化時間オフセット値として前記時間オフセットを報告することと、
所定の範囲内にあるか、またはその外側にあるとして前記時間オフセットを報告することと、
周期または非周期チャネル状態情報（ＣＳＩ）フィードバック報告方式の一部として前記時間オフセットを報告することと
のうちの１つを含み、
報告することが、基準信号受信電力（ＲＳＲＰ）報告の一部として前記時間オフセットを報告することと、
他のフィードバック報告とは別個の報告として前記時間オフセットを報告することとを含む、Ｃ１９に記載の装置。
[Ｃ２２]
第１および第２のアンテナから送信されたダウンリンク送信を受信するための手段と、
前記ダウンリンク送信に関するチャネル状態情報（ＣＳＩ）フィードバックを生成するための手段と、
前記ＣＳＩフィードバックを基地局に送るための手段と
を備え、
前記ＣＳＩフィードバックは、前記第１および第２のアンテナ間の時間オフセットが補償されているか否かに基づいて調整される、ワイヤレス通信のための装置。
[Ｃ２３]
前記基地局が前記第１および第２のアンテナ間の前記時間オフセットを補償しているか否かの仮定に関する情報を受信するための手段をさらに含む、Ｃ２２に記載の装置。
[Ｃ２４]
生成するための前記手段は、前記基地局が、ユーザ機器固有基準信号（ＵＥ−ＲＳ）の送信時間を変更することによって前記時間オフセットを補償しているという前記仮定に基づいて前記ＣＳＩフィードバックを生成するための手段を含む、Ｃ２３に記載の装置。
[Ｃ２５]
生成するための前記手段は、前記基地局が、プリコーダ位相回転を適用することによって前記時間オフセットを補償しているという前記仮定に基づいて前記ＣＳＩフィードバックを生成するための手段を含む、Ｃ２３に記載の装置。
[Ｃ２６]
プログラムコードを記録した非一時的コンピュータ可読媒体を備える、ワイヤレス通信のためのコンピュータプログラム製品であって、前記プログラムコードは、
第１および第２のアンテナからそれぞれ送信された第１および第２の信号を受信するためのプログラムコードと、
前記第１および第２の信号に基づいて前記第１および第２のアンテナ間の時間オフセットを決定するためのプログラムコードと、
前記第１および第２のアンテナ間の前記時間オフセットに関する情報を報告するためのプログラムコードであって、前記情報が、前記時間オフセットを所定のしきい値を上回るか、または下回ると見なす情報を含む、報告するためのプログラムコードと
を備える、ワイヤレス通信のためのコンピュータプログラム製品。
[Ｃ２７]
前記第１および第２のアンテナが単一の送信ポイントに地理的にコロケートされた、Ｃ２６に記載のコンピュータプログラム製品。
[Ｃ２８]
前記第１および第２のアンテナが、地理的に分離され、異なる送信ポイントに関連付けられた、Ｃ２６に記載のコンピュータプログラム製品。
[Ｃ２９]
プログラムコードを記録した非一時的コンピュータ可読媒体を備える、ワイヤレス通信のためのコンピュータプログラム製品であって、前記プログラムコードが、
第１および第２のアンテナから送信されたダウンリンク送信を受信するためのプログラムコードと、
前記ダウンリンク送信に関するチャネル状態情報（ＣＳＩ）フィードバックを生成するためのプログラムコードと、
前記ＣＳＩフィードバックを基地局に送るためのプログラムコードと
を備え、
前記ＣＳＩフィードバックは、前記第１および第２のアンテナ間の時間オフセットが補償されているか否かに基づいて調整される、ワイヤレス通信のためのコンピュータプログラム製品。
[Ｃ３０]
前記コンピュータ可読媒体は、前記基地局が前記第１および第２のアンテナ間の前記時間オフセットを補償しているか否かの仮定に関する情報を受信するためのプログラムコードをさらに含む、Ｃ２９に記載のコンピュータプログラム製品。
[Ｃ３１]
生成するための前記プログラムコードは、前記基地局が、ユーザ機器固有基準信号（ＵＥ−ＲＳ）の送信時間を変更することによって前記時間オフセットを補償しているという前記仮定に基づいて前記ＣＳＩフィードバックを生成するためのプログラムコードを含む、Ｃ３０に記載のコンピュータプログラム製品。
[Ｃ３２]
生成するための前記プログラムコードは、前記基地局が、プリコーダ位相回転を適用することによって前記時間オフセットを補償しているという前記仮定に基づいて前記ＣＳＩフィードバックを生成するためのプログラムコードを含む、Ｃ３０に記載のコンピュータプログラム製品。
[Ｃ３３]
少なくとも１つのプロセッサと、
前記少なくとも１つのプロセッサに結合されたメモリと
を備える、ワイヤレス通信のために構成された装置であって、前記少なくとも１つのプロセッサが、
第１および第２のアンテナからそれぞれ送信された第１および第２の信号を受信することと、
前記第１および第２の信号に基づいて前記第１および第２のアンテナ間の時間オフセットを決定することと、
前記第１および第２のアンテナ間の前記時間オフセットに関する情報を報告することであって、前記情報が、前記時間オフセットを所定のしきい値を上回るか、または下回ると見なす情報を含む、報告することと
を行うように構成された、ワイヤレス通信のために構成された装置。
[Ｃ３４]
前記第１および第２のアンテナが単一の送信ポイントに地理的にコロケートされた、Ｃ３３に記載の装置。
[Ｃ３５]
前記第１および第２のアンテナが、地理的に分離され、異なる送信ポイントに関連付けられている、Ｃ３３に記載の装置。
[Ｃ３６]
少なくとも１つのプロセッサと、
前記少なくとも１つのプロセッサに結合されたメモリと
を備える、ワイヤレス通信のために構成された装置であって、前記少なくとも１つのプロセッサが、
第１および第２のアンテナから送信されたダウンリンク送信を受信することと、
前記ダウンリンク送信に関するチャネル状態情報（ＣＳＩ）フィードバックを生成することと、
前記ＣＳＩフィードバックを基地局に送ることと
を行うように構成され、
前記ＣＳＩフィードバックは、前記第１および第２のアンテナ間の時間オフセットが補償されているか否かに基づいて調整される、ワイヤレス通信のために構成された装置。
[Ｃ３７]
前記少なくとも１つのプロセッサは、前記基地局が前記第１および第２のアンテナ間の前記時間オフセットを補償しているか否かの仮定に関する情報を受信するようにさらに構成された、Ｃ３６に記載の装置。
[Ｃ３８]
前記少なくとも１つのプロセッサは、前記基地局が、ユーザ機器固有基準信号（ＵＥ−ＲＳ）の送信時間を変更することによって前記時間オフセットを補償しているという前記仮定に基づいて前記ＣＳＩフィードバックを生成するように構成された、Ｃ３７に記載の装置。
[Ｃ３９]
前記少なくとも１つのプロセッサは、前記基地局が、プリコーダ位相回転を適用することによって前記時間オフセットを補償しているという前記仮定に基づいて前記ＣＳＩフィードバックを生成するように構成された、Ｃ３７に記載の装置。
[Ｃ４０]
複数の送信アンテナ間の時間オフセットに関する情報を受信することであって、前記情報が、前記時間オフセットを所定のしきい値を上回るか、または下回ると見なす情報を含む、受信することと、
前記時間オフセットを考慮するように送信を適応させることと
を備える、ワイヤレス通信のための方法。
[Ｃ４１]
前記適応させることが送信機においてプリコーダ位相回転を適用することを含む、Ｃ４０に記載の方法。
[Ｃ４２]
前記適応させることが、ＵＥごとにユーザ機器固有基準信号（ＵＥ−ＲＳ）のタイミングを調節することを含む、Ｃ４０に記載の方法。
[Ｃ４３]
前記受信することが、複数のＵＥから複数の時間オフセット報告を受信することを含み、
前記適応させることが、前記複数の時間オフセット報告に基づいて前記第１および第２のアンテナを用いて送信される信号のタイミングを調整することを含む、Ｃ４０に記載の方法。
[Ｃ４４]
前記適応させることが、ＵＥごとに特定の送信方式を選択することを含む、Ｃ４０に記載の方法。
[Ｃ４５]
前記選択することが、
前記時間オフセットが前記所定のしきい値を下回る場合、多地点協調（ＣｏＭＰ）送信を有効にすることと、
前記時間オフセットが前記所定のしきい値を上回る場合、ＣｏＭＰ送信を無効にすることと
のうちの１つを含む、Ｃ４４に記載の方法。
[Ｃ４６]
前記適応させることが、前記時間オフセットに関する前記情報に基づいて基地局のＣｏＭＰセットを定義することを含む、Ｃ４０に記載の方法。
[Ｃ４７]
基地局の前記ＣｏＭＰセットが、ＣｏＭＰ測定セットと、ＣｏＭＰ送信セットと、ＣｏＭＰ協働セットとのうちの１つを含む、Ｃ４６に記載の方法。
[Ｃ４８]
前記時間オフセットに関する前記情報を報告することを求める要求をＵＥに送信することをさらに含む、Ｃ４０に記載の方法。
[Ｃ４９]
複数の送信アンテナ間の時間オフセットに関する情報を受信するための手段であって、前記情報が、前記時間オフセットを所定のしきい値を上回るか、または下回ると見なす情報を含む、受信するための手段と、
前記時間オフセットを考慮するように送信を適応させるための手段と
を備える、ワイヤレス通信のための装置。
[Ｃ５０]
適応させるための前記手段が、送信機においてプリコーダ位相回転を適用するための手段を含む、Ｃ４９に記載の装置。
[Ｃ５１]
適応させるための前記手段が、ＵＥごとにユーザ機器固有基準信号（ＵＥ−ＲＳ）のタイミングを調節するための手段を含む、Ｃ４９に記載の装置。
[Ｃ５２]
受信するための前記手段が、複数のＵＥから複数の時間オフセット報告を受信するための手段を含み、
適応させるための前記手段が、前記複数の時間オフセット報告に基づいて前記第１および第２のアンテナを用いて送信される信号のタイミングを調整するための手段を含む、Ｃ４９に記載の装置。
[Ｃ５３]
適応させるための前記手段が、ＵＥごとに特定の送信方式を選択するための手段を含む、Ｃ４９に記載の装置。
[Ｃ５４]
選択するための前記手段が、
前記時間オフセットが前記所定のしきい値を下回る場合、多地点協調（ＣｏＭＰ）送信を有効にするための手段と、
前記時間オフセットが前記所定のしきい値を上回る場合、ＣｏＭＰ送信を無効にするための手段と
のうちの１つを含む、Ｃ５２に記載の装置。
[Ｃ５５]
適応させるための前記手段が、前記時間オフセットに関する前記情報に基づいて基地局のＣｏＭＰセットを定義するための手段を含む、Ｃ４９に記載の装置。
[Ｃ５６]
基地局の前記ＣｏＭＰセットが、ＣｏＭＰ測定セットと、ＣｏＭＰ送信セットと、ＣｏＭＰ協働セットとのうちの１つを含む、Ｃ５５に記載の装置。
[Ｃ５７]
前記時間オフセットに関する前記情報を報告することを求める要求をＵＥに送信するための手段をさらに含む、Ｃ４９に記載の装置。
[Ｃ５８]
プログラムコードを記録した非一時的コンピュータ可読媒体を備える、ワイヤレス通信のためのコンピュータプログラム製品であって、前記プログラムコードは、
複数の送信アンテナ間の時間オフセットに関する情報を受信するためのプログラムコードであって、前記情報が、前記時間オフセットを所定のしきい値を上回るか、または下回ると見なす情報を含む、受信するためのプログラムコードと、
前記時間オフセットを考慮するように送信を適応させるためのプログラムコードと
を備える、ワイヤレス通信のためのコンピュータプログラム製品。
[Ｃ５９]
少なくとも１つのプロセッサと、
前記少なくとも１つのプロセッサに結合されたメモリと
を備える、ワイヤレス通信のために構成された装置であって、前記少なくとも１つのプロセッサは、
複数の送信アンテナ間の時間オフセットに関する情報を受信することであって、前記情報が、前記時間オフセットを所定のしきい値を上回るか、または下回ると見なす情報を含む、受信することと、
前記時間オフセットを考慮するように送信を適応させることと
を行うように構成された、ワイヤレス通信のために構成された装置。
【図１】
0006042439.tif 000002
【図２】
0006042439.tif 000003
【図３】
0006042439.tif 000004
【図４】
0006042439.tif 000005
【図５】
0006042439.tif 000006
【図６】
0006042439.tif 000007
【図７】
0006042439.tif 000008
【図８】
0006042439.tif 000009
【図９】
0006042439.tif 000010
【図１０】
0006042439.tif 000011
【図１１】
0006042439.tif 000012
【図１２】
0006042439.tif 000013